(57)【特許請求の範囲】
【請求項１】
起動されてデータを表示する液晶表示部と、
静電気による誤表示を回避するために前記液晶表示部における表示を所定期間ごとに更新するリフレッシュ制御部と、
現在の時間を計時する時計部を備えて、
前記リフレッシュ制御部は、前記液晶表示部が起動されたときの前記静電気の生じやすさを検出して、検出結果に従い前記所定期間を可変に設定する所定期間設定手段を有し、
前記所定期間設定手段は、前記時計部により計時された前記現在の時間により示される季節の種類に従い前記静電気の生じやすさを検出する、液晶表示制御装置。
【請求項２】
周囲温度を検出する温度検出部をさらに備えて、
前記所定期間設定手段は、前記時計部により計時された前記現在の時間により示される季節の種類と前記温度検出部により検出された前記周囲温度とに従い前記静電気の生じやすさを検出することを特徴とする、請求項１に記載の液晶表示制御装置。
【請求項３】
前記液晶表示制御装置は、携帯型端末に搭載されることを特徴とする、請求項１または２に記載の液晶表示制御装置。
【請求項４】
予め準備された液晶表示部における表示を、静電気により誤表示となるのを回避するために所定期間ごとにリフレッシュする液晶表示制御装置における液晶表示制御方法であって、
静電気による誤表示を回避するために前記液晶表示部における表示を所定期間ごとに更新するリフレッシュ制御ステップを備えて、
前記リフレッシュ制御ステップは、前記液晶表示部が起動されたときの前記静電気の生じやすさを検出して、検出結果に従い前記所定期間を可変に設定する所定期間設定ステップを有し、
前記所定期間設定ステップでは、前記液晶表示制御装置が有する時計部により計時された現在の時間により示される季節の種類に従い、前記静電気の生じやすさが検出される、液晶表示制御方法。
【発明の詳細な説明】
【０００１】
【発明の属する技術分野】
本発明は液晶表示制御装置および方法に関して、特に、消費電流を制御するための液晶表示制御装置および方法に関する。
【０００２】
【従来の技術】
近年、携帯型電話装置のＬＣＤ（liquid crystal display）として、カラーＬＣＤの搭載が急速に進んでいる。カラーＬＣＤはモノクロＬＣＤよりも価格が高いため、ＬＣＤのガラス表面にドライバＩＣ（integrated circuit)等の回路を実装する方式（以下、ＣＯＧ（chip on glass)方式と略）により、実装効率を上げコスト削減を図っている。
【０００３】
一般にＣＯＧ方式を採用したＬＣＤは、携帯型電話装置の表示部に近い位置にＬＣＤのドライバＩＣが搭載されるため静電気に弱くなる。このため、携帯型電話装置では、一定時間ごとにＬＣＤドライバのレジスタ値や表示データを更新し（以下、リフレッシュと略）、ＬＣＤの表示消え状態などの誤った表示を防止している。
【０００４】
図３は、従来および本実施の形態に適用される携帯型電話装置のブロック構成図である。図３の携帯型電話装置２００は、ＣＰＵ（中央処理装置の略）２０２を有して該装置２００を集中的に制御・管理する制御部２０１、アンテナ２０４を接続してアンテナ２０４を介して送受信する無線信号の変調／復調を行なう無線部２０３、ＣＰＵ２０２により実行される各種プログラムや参照される各種データが格納されているメモリ２０５、情報を表示するためのＬＣＤ２０７、通話などのためのマイク２０８およびレシーバ２０９、呼出音、着信音などの音声出力のためのスピーカ２１０、外部操作される各種のキー２１１、計時のための時計ＩＣ２１２および携帯型電話装置２００の周辺温度を計測するための温度センサ２１３を備える。メモリ２０５に格納される各種プログラム中にはリフレッシュを制御するためのリフレッシュプログラム２０６が含まれる。
【０００５】
図３を参照して、発信動作について説明する。ユーザが電話番号および発信ボタンをキー２１１を操作して指示すると、ＣＰＵ２０２は、これを検出しメモリ２０５に格納されている発信のためのプログラムに従い発信処理を開始する。この間、ＬＣＤ２０７には「発信中」の文字や絵が表示される。
【０００６】
その後、無線部２０３およびアンテナ２０４を介し無線回線が確立されると、ＣＰＵ２０２は音声パスを開き、ＬＣＤ２０７に「通話中」の文字と絵を表示する。発信者の声はマイク２０８より取り込まれ、制御部２０１で符号化されたのち、無線部２０３で変調されアンテナ２０４を介して相手に送られる。また、相手から送信された信号は無線信号としてアンテナ２０４を介して取込まれ、無線部２０３で復調されて、制御部２０１で復号化された後、音声信号としてレシーバ２０９から出力される。
【０００７】
次に着信時の動作について説明する。ＣＰＵ２０２はアンテナ２０４および無線部２０３を介して相手からの着信要求を検知すると、ＬＣＤ２０７に「着信中」の文字や絵を表示し、スピーカ２１０に着信音としてのたとえばメロディを鳴動させる。ユーザがキー２１１を操作して着信を確認すると、ＣＰＵ２０２はこれを検出し、メモリ２０５に格納されているプログラムに従い、着信処理を開始する。これにより無線部２０３およびアンテナ２０４を介し無線回線が確立すると、ＣＰＵ２０２は、音声パスを開き、ＬＣＤ２０７に「通話中」の文字と絵を表示する。着信者の声は、マイク２０８より取り込まれ、制御部２０１で符号化されたのち、無線部２０３で変調されアンテナ２０４を介して相手に送られる。また、相手の声は無線信号としてアンテナ２０４を介して取り込まれ、無線部２０３で復調、制御部２０１で復号化された後、音声信号としてレシーバ２０９から出力される。
【０００８】
ＬＣＤ２０７には、メモリ２０５に格納されているプログラムに従い、ＣＰＵ２０２によってその時々の状態が表示されるが、ＣＯＧ方式を採用している場合には静電気など外的要因の影響で表示が消える恐れがあるため、一定時間ごとにリフレッシュが行なわれる。
【０００９】
図４と図５のリフレッシュ動作に関する従来のフローチャートに従い、リフレッシュ動作の一例について説明する。図４には、電源投入時のリフレッシュタイマ初期化フローが示される。図４において携帯型電話装置２００の電源投入時、制御部２０１の図示されない内部のタイマは固定値（例えば１秒）に設定される（ステップＳ（以下、単にＳと略す）３０１）。なお、このタイマ値は、静電気の一番生じやすい冬を想定し、携帯型電話装置ごとに予め設定されており、リフレッシュ動作の周期を示す。
【００１０】
実際のリフレッシュ動作は、図５のフローに従って行なわれる。図５を参照して前述のタイマに設定された１秒ごとに割り込みが発生されると、ＬＣＤ２０７のモジュール内にあるドライバのレジスタを再設定し（Ｓ３０２）、再描画を行なう（Ｓ３０３）。
【００１１】
【発明が解決しようとする課題】
以上のように従来のＬＣＤリフレッシュ制御方式では、リフレッシュ間隔を決めるタイマ値が一定だったため、リフレッシュ動作が頻繁でなくてもよいとき、たとえばほとんど静電気の発生しない夏においても頻繁にリフレッシュ動作が行なわれ、無駄に電流を消費してた。
【００１２】
それゆえに、この発明の目的は、電流消費量を抑制できる液晶表示制御装置および方法を提供することである。
【００１３】
【課題を解決するための手段】
この発明のある局面に係る液晶表示制御装置は起動されてデータを表示する液晶表示部と、静電気による誤表示を回避するために液晶表示部における表示を所定期間ごとに更新するリフレッシュ制御部とを備えて、リフレッシュ制御部は、液晶表示部が起動されたときの静電気の生じやすさを段階的に検出して、検出結果に従い所定期間を可変に設定する所定期間設定手段を有する。
【００１４】
したがって、静電気による誤表示を回避するために液晶表示部における表示を更新する間隔である所定期間は、液晶表示部が起動されたときに検出された静電気の生じやすさの段階に従い可変に設定される。それゆえに、液晶表示部が起動されたときが静電気の生じにくいときと検出されれば所定期間を長くして、液晶表示部の表示更新に要する消費電流量を抑制できる。また静電気の生じやすいときと検出されれば静電気の生じにくいときに比べて所定期間を短くして、液晶表示部の静電気による誤表示を確実に回避できる。
【００１５】
上述の液晶表示制御装置は、現在の時間を計時する時計部をさらに備えて、所定期間設定手段は、時計部により計時された現在時間により示される季節の種類に従い静電気の生じやすさを段階的に検出するようにしてもよい。
【００１６】
したがって、静電気による誤表示を回避するために液晶表示部における表示を更新する間隔である所定期間は、現在時間により示される季節の種類に従い段階的に可変設定される。それゆえに、静電気の生じにくい種類の季節には所定期間を長くして、液晶表示部の表示更新に要する消費電流量を抑制できる。また静電気の生じやすい種類の季節には静電気の生じにくい種類の季節に比べて所定期間を短くして、液晶表示部の静電気による誤表示を確実に回避できる。
【００１７】
上述の液晶表示制御装置は、現在の時間を計時する時計部と、周囲温度を検出する温度検出部とをさらに備えて、所定期間設定手段は、時計部により計時された現在時間により示される季節の種類と温度検出部により検出された周囲温度とに従い静電気の生じやすさを段階的に検出するようにしてもよい。
【００１８】
したがって、静電気による誤表示を回避するために液晶表示部における表示を更新する間隔である所定期間は、現在時間により示される季節の種類と周囲温度とに従い段階的に可変設定される。それゆえに、静電気の生じにくい種類の季節であり、なかでも周囲温度が静電気が生じにくいとされる温度では所定期間を周囲温度が静電気が生じやすいとされる温度のときよりも長くできる。また静電気の生じやすい種類の季節であり、なかでも周囲温度が静電気が生じやすい温度のときには所定期間を周囲温度が静電気が生じにくい温度のときよりも短くできる。
【００１９】
したがって、液晶表示部の表示更新に要する消費電流量を、季節の種類と周囲温度とにより段階的に細かく可変設定しながら、消費電流量の抑制と液晶表示部の静電気による誤表示の回避を図ることができる。
【００２０】
上述の液晶表示制御装置は携帯型端末に搭載されてもよい。
したがって、上述したような所定期間の可変設定により携帯型端末における消費電流量が抑制されるから、１回の充電または１回の電池交換などによる使用可能時間を延長させることができて、携帯性に優れる。
【００２１】
この発明のさらなる他の局面に係る液晶表示制御方法は、予め準備された液晶表示部における表示を、静電気により誤表示となるのを回避するために所定期間ごとにリフレッシュする方法であって、静電気による誤表示を回避するために液晶表示部における表示を所定期間ごとに更新するリフレッシュ制御ステップを備えて、リフレッシュ制御ステップでは、液晶表示部が起動されたときの前記静電気の生じやすさを段階的に検出して、検出結果に従い前記所定期間を可変に設定する。
【００２２】
したがって、静電気による誤表示を回避するために液晶表示部における表示を更新する間隔である所定期間は、液晶表示部が起動されたときに検出された静電気の生じやすさの段階に従い可変に設定される。それゆえに、液晶表示部が起動されたときが静電気の生じにくいときと検出されれば所定期間を長くして、液晶表示部の表示更新に要する消費電流量を抑制できる。また静電気の生じやすいときと検出されれば静電気の生じにくいときに比べて所定期間を短くして、液晶表示部の静電気による誤表示を確実に回避できる。
【００２３】
【発明の実施の形態】
以下、本発明の実施の形態について図面を参照して説明する。本実施の形態において携帯型電話装置２００の構成は図３に示されてものと同様である。図１と図２はこの発明の実施の形態に係るリフレッシュ動作に関するフローチャートである。
【００２４】
電源投入後の初期化時には図１のフローチャートに従いリフレッシュのためのタイマ値が決定されて制御部２０１の図示されない内部のタイマに設定される。
【００２５】
図１において、ＣＰＵ２０２は時計ＩＣ２１２から現在は一年のうちのいずれの月であるかを示す月情報を入手して（Ｓ１０１）、入手した月情報から該当する季節を判定する（Ｓ１０２）。ここでは、月情報を入手するとしているが月および日の情報に基づいて判定するとしてもよい。季節が春または秋、または不明（時計未設定の場合）と判定された場合には、通常のタイマ値、たとえば１０秒がタイマに設定されて（Ｓ１０５）終了する。季節が冬と判定された場合には、温度センサ２１３を介して該携帯型電話装置２００の周辺温度の情報を入手し（Ｓ１０３）、入手した温度情報が１０℃未満を示すならばタイマ値をより小さく、たとえば１秒に設定し（Ｓ１０４）、１０℃以上を示すならばタイマ値を通常の、たとえば１０秒に設定し（Ｓ１０５）終了する。同様に、季節が夏と判定された場合には、温度センサ２１３を介して周辺温度情報を入手し（Ｓ１０３）、入手した温度情報が２０℃未満を示すならばタイマ値を通常の、たとえば１０秒に設定し（Ｓ１０５）、２０℃以上を示すならばタイマ値をより大きい値、たとえば１分に設定し（Ｓ１０６）終了する。このようにして、該携帯型電話装置２００が起動されてＬＣＤ２０７が起動されたときの静電気の生じやすさが段階的に検出されて、検出結果に従いリフレッシュ動作の間隔（タイマ値）は可変に設定される。
【００２６】
上述のようにしてタイマ値が設定された後の実際のリフレッシュ動作は図２のフローチャートに従って行なわれる。動作において設定されているタイマ値ごとに（１秒〜１分ごとに）、ＣＰＵ２０２により割り込みが発生されると、ＬＣＤモジュール内にあるドライバのレジスタは再設定されて（Ｓ１０７）、再描画が行なわれる（Ｓ１０８）。これにより仮に静電気等の外的要因でＬＣＤ２０７における表示が消えたとしても一定時間以内に画面が再描画がなされて元の表示状態が再現されるため、ユーザは使用に際して何ら不都合を感じることはない。
【００２７】
以上のようなリフレッシュ動作の制御によれば、時計ＩＣ２１２から取得した月情報により現在の季節を判定して、判定結果、夏であれば、すなわち静電気の発生しにくい場合にはＬＣＤ２０７のリフレッシュ動作の間隔を長くすることで消費電流を抑えて着信の待ち受け時間等の使用時間を延長させること可能になる。
【００２８】
また判定された季節において、温度センサ２１３から取得した周辺の温度情報に基づいてより高温である、すなわち汗などにより静電気の発生しにくい状況にあると判定したときは、ＬＣＤ２０７のリフレッシュ動作の間隔を長くすることで消費電流を抑えて着信の待ち受け時間等の使用可能時間を延長させること可能になる。
【００２９】
ここでは携帯型電話装置２００の例を示したが、ＬＣＤを搭載して静電気による表示消えを回避するためにリフレッシュ動作する他の電子機器、たとえばＰＨＳ（personal handy  phone system)、ＰＤＡ(personal digital assistans)などにも使用可能である。このように携帯型端末の場合には携帯性を高めるために充電間隔を長くすることが望まれるが、上述のような可変間隔でリフレッシュ動作して使用可能時間を長くできるから、この要望に十分こたえることができる。
【００３０】
ここでは月情報および温度情報に基づいて細かにリフレッシュ動作の間隔を可変設定しているが、月情報により示される季節の種類のみに基づいて間隔を可変設定するようにしてもよい。
【００３１】
静電気が発生しやすいか否かは上述の季節および周囲温度に加えて周囲湿度も考慮することでより正確に判定することができる。したがって、周囲湿度を検出するセンサなどを新たに搭載してもなお、消費電流量の削減を図ることができるのであれば、このように周囲湿度も考慮してリフレッシュ間隔の設定を行うようにしてもよい。
【００３２】
ここでは図１のフローチャートなどに従うリフレッシュプログラム２０６はメモリ２０５に出荷時に既に書込まれて書換え不可能としているけれども、任意に外部からインストールできるとしてもよい。たとえば、携帯型電話装置２００に外部から着脱自在に装着される記録媒体をアクセスするための機構を追加して、装着される記録媒体を介してリフレッシュプログラム２０６がメモリ２０６にインストールされるとしてもよい。このような記録媒体としてはフレキシブルディスクなどの磁気ディスクやＣＤ−ＲＯＭ／ＭＯ（Magnetic  Optical  Disc）／ＭＤ（Mini  Disc）／ＤＶＤ（Digital  Versatile  Disc）などの光ディスクのディスク系、ＩＣカード（メモリカードを含む）／光カードなどのカード系などを適用できる。また、アンテナ２０４および無線部２０３を介してインターネットなどの外部の通信回線を経由して送信されたリフレッシュプログラム２０６を受信してメモリ２０６に書込むとしてもよい。
【００３３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３４】
【発明の効果】
この発明によれば、静電気による誤表示を回避するために液晶表示部における表示を更新する間隔である所定期間は、液晶表示部が起動されたときに検出された静電気の生じやすさの段階に従い可変に設定される。それゆえに、液晶表示部が起動されたときが静電気の生じにくいときと検出されれば所定期間を長くして、液晶表示部の表示更新に要する消費電流量を抑制できる。また静電気の生じやすいときと検出されれば静電気の生じにくいときに比べて所定期間を短くして、液晶表示部の静電気による誤表示を確実に回避できる。
【図面の簡単な説明】
【図１】  本実施の形態に係るリフレッシュ動作に関するフローチャートである。
【図２】  本実施の形態に係るリフレッシュ動作に関するフローチャートである。
【図３】  従来および本実施の形態に適用される携帯型電話装置のブロック構成図である。
【図４】  従来のリフレッシュ動作に関するフローチャートである。
【図５】  従来のリフレッシュ動作に関するフローチャートである。
【符号の説明】
２００  携帯型電話装置、２０１  制御部、２０２  ＣＰＵ、２０３  無線部、２０４  アンテナ、２０５  メモリ、２０６  リフレッシュプログラム、２０７  ＬＣＤ、２０８  マイク、２０９  レシーバ、２１０  スピーカ、２１１  キー、２１２  時計ＩＣ、２１３  温度センサ。
【図１】
0003967136.tif 000002
【図２】
0003967136.tif 000003
【図３】
0003967136.tif 000004
【図４】
0003967136.tif 000005
【図５】
0003967136.tif 000006